(57)【特許請求の範囲】
【請求項１】
エレベータ乗場出入口を開閉する乗場ドアを備え、前記乗場ドアの全閉状態で乗場出入口縦枠、乗場出入口上枠、乗場敷居と接触して前記乗場ドアと前記乗場出入口縦枠、乗場出入口上枠、乗場敷居との間の隙間を塞ぐように構成されたエレベータの乗場ドア遮煙装置において、
前記乗場ドアの下端部に設けられ、前記乗場ドアの開閉動作と連動して上下方向にスライドするように動作する下部遮煙体と、
前記乗場ドアの下端両側部に設けられ、前記下部遮煙体を上下方向にスライドできるように案内保持する案内保持具と、
前記下部遮煙体と前記乗場ドアの開閉機構との間に設けられ、前記乗場ドアの開閉動作と連動して前記下部遮煙体を上下方向にスライドさせる連動機構と、
前記下部遮煙体に設けられ、前記乗場ドアの全閉状態で前記乗場敷居に接触した時に、押圧力を増大させるバネとを備え、
前記連動機構は、前記乗場ドアのハンガーローラに設けられた巻取装置と、前記巻取装置に一端部が巻き取られる第１連動ロープと、前記第１連動ロープの他端部に設けられた第１巻取装置ギヤと、前記第１巻取装置ギヤの回転により駆動される第２巻取装置ギヤと、前記第２巻取装置ギヤによって連動し、前記下部遮煙体の中央部に下端部が連結された第２連動ロープとから構成され、前記乗場ドアが全閉状態となる直前から全閉状態に至るまでの僅かな期間中も、前記下部遮煙体を前記乗場敷居に接触しないように構成したことを特徴とするエレベータの乗場ドア遮煙装置。
【発明の詳細な説明】
【技術分野】
【０００１】
この発明は、エレベータの乗場ドア遮煙装置に関するもので、特に戸開閉時における下部遮煙体と乗場敷居との摺動音を防止するものである。
【背景技術】
【０００２】
従来のエレベータの乗場ドア遮煙装置は、エレベータ乗場に設置される横引き戸に弾性変化自在な遮煙体を配設しておき、戸が全閉状態となる直前から出入口縦枠、出入口上枠、乗場敷居と接触して遮煙体が弾性変化し、戸が全閉状態となったときに戸と出入口縦枠、出入口上枠、乗場敷居との隙間を完全に塞ぐように構成されていた（例えば、特許文献１参照）。
【０００３】
【特許文献１】特開１９９３−３３８９７５号公報
【発明の開示】
【発明が解決しようとする課題】
【０００４】
上記のように構成された従来のエレベータの乗場ドア装置では、戸が全閉状態となる直前までは、戸を開閉する機構の負荷が増加しない状態で開閉できるが、戸が全閉状態となる直前から全閉状態に至るまでの僅かな期間中ではあるが、下部遮煙体は乗場敷居と接触しているため、摺動音が発生する。
【０００５】
この発明は、上述のような課題を解決するためになされたもので、乗場ドアの開閉時に、乗場ドアの開閉動作と連動して下部遮煙体を上下方向にスライドさせることにより、下部遮煙体と乗場敷居との摺動音を防止するようにしたエレベータの乗場ドア遮煙装置を提供するものである。
【課題を解決するための手段】
【０００６】
この発明に係るエレベータの乗場ドア遮煙装置においては、エレベータ乗場出入口を開閉する乗場ドアを備え、乗場ドアの全閉状態で乗場出入口縦枠、乗場出入口上枠、乗場敷居と接触して乗場ドアと乗場出入口縦枠、乗場出入口上枠、乗場敷居との間の隙間を塞ぐように構成されたものにおいて、乗場ドアの下端部に設けられ、乗場ドアの開閉動作と連動して上下方向にスライドするように動作する下部遮煙体と、乗場ドアの下端両側部に設けられ、下部遮煙体を上下方向にスライドできるように案内保持する案内保持具と、下部遮煙体と乗場ドアの開閉機構との間に設けられ、乗場ドアの開閉動作と連動して下部遮煙体を上下方向にスライドさせる連動機構と、下部遮煙体に設けられ、乗場ドアの全閉状態で前記乗場敷居に接触した時に、押圧力を増大させるバネとを備え、連動機構は、乗場ドアのハンガーローラに設けられた巻取装置と、巻取装置に一端部が巻き取られる第１連動ロープと、第１連動ロープの他端部に設けられた第１巻取装置ギヤと、第１巻取装置ギヤの回転により駆動される第２巻取装置ギヤと、第２巻取装置ギヤによって連動し、下部遮煙体の中央部に下端部が連結された第２連動ロープとから構成され、乗場ドアが全閉状態となる直前から全閉状態に至るまでの僅かな期間中も、下部遮煙体を乗場敷居に接触しないように構成したものである。
【発明の効果】
【００１０】
この発明によれば、乗場ドアの開閉動作と連動して下部遮煙体を上下方向にスライドさせることにより、戸が全閉状態となる直前から全閉状態に至るまでの僅かな期間中も、下部遮煙体を乗場敷居に接触しないように構成したので、乗場ドア開閉時の下部遮煙体と乗場敷居の接触による摺動音を防止することができる。
【発明を実施するための最良の形態】
【００１１】
実施の形態１．
図１はこの発明の実施の形態１におけるエレベータの乗場ドア遮煙装置の戸開状態を示す背面図、図２はこの発明の実施の形態１におけるエレベータの乗場ドア遮煙装置の全閉状態を示す背面図である。
【００１２】
図において、１は乗場出入口に設置された乗場ドアで、乗場出入口を開閉する。この乗場ドア１は、全閉状態で乗場出入口縦枠、乗場出入口上枠、乗場敷居と接触して乗場ドアと乗場出入口縦枠、乗場出入口上枠、乗場敷居との隙間を塞ぐように構成されているものである。２は乗場ドア１の上端部に設けられたハンガーローラで、乗場ドア１を移動させるためのものである。３は乗場出入口の上部に設置されたレールで、ハンガーローラ２が転動するためのものである。４は乗場敷居、５は乗場ドア１の下端部に設けられた戸の脚で、乗場ドア１を案内するためのものである。６はハンガーローラ２に取り付けられた巻取装置、７は巻取装置６に一端部が巻き取られる第１連動ロープ、８は第１連動ロープ７の他端部に設けられた第１巻取装置ギヤ、９は第１巻取装置ギヤ８の回転によって駆動する第２巻取装置ギヤ、１０は第２巻取装置ギヤ９によって連動する第２連動ロープ、１１は乗場ドア１の下端部に設けられたゴム等の弾性体からなる下部遮煙体で、その中央部に第２連動ロープ１０の下端部が連結され、乗場ドア１の開閉動作と連動して上下方向にスライドする。１２は乗場ドア１の下端両側部に設けられた案内保持具で、下部遮煙体１１が上下方向にスライドできるように案内保持するためのものである。１３は乗場ドア１の下端両側部に設けられたバネで、下部遮煙体１１が乗場敷居４に接触した時、上からの押圧力を増大させるためのものである。
【００１３】
次に、動作について説明する。
乗場ドア１が図１に示す戸開状態から戸閉方向に動作を開始し、ハンガーローラ２が回転を始める。ハンガーローラ２が回転した時、ハンガーローラ２に取り付けられた巻取装置６も回転を始める。巻取装置６が回転することにより、第１連動ロープ７が巻取装置６に巻き取られる。このことにより、第１連動ロープ７と連結している第１巻取装置ギヤ８が連動して回転を始める。そして、第１巻取装置ギヤ８の回転によって駆動する第２巻取装置ギヤ９が回転をする。この時、ドア間口寸法を考慮し第１巻取装置ギヤ８と第２巻取ギヤ９のギヤ比を設定しておく。第２巻取装置ギヤ９が回転することにより、第２連動ロープ１０が押し下げられる。第２連動ロープ１０が押し下げられることにより、第２連動ロープ１０と連結されている下部遮煙体１１が下方向にスライドして行く。そして、乗場ドア１が図２に示すように、全閉状態になると、下部遮煙体１１は乗場敷居４に密着する。この時、煙流入防止効果を更に図るため、バネ１３にて押付力を増大させる。
乗場ドア１が、図２に示す戸閉状態から戸開方向に動作した時は、上記動作が逆になり、下部遮煙体１１は上方向にスライドする。
【００１４】
この実施の形態１によれば、乗場ドアの開閉動作と連動して下部遮煙体を上下方向にスライドさせることにより、戸が全閉状態となる直前から全閉状態に至るまでの僅かな期間中も、乗場ドアの下部遮煙体と乗場敷居との接触を無くすことができるので、乗場ドア開閉時の下部遮煙体と乗場敷居の接触による摺動音を防止することができる。
【図面の簡単な説明】
【００１５】
【図１】この発明の実施の形態１におけるエレベータの乗場ドア遮煙装置の戸開状態を示す背面図である。
【図２】この発明の実施の形態１におけるエレベータの乗場ドア遮煙装置の全閉状態を示す背面図である。
【符号の説明】
【００１６】
１  乗場ドア
２  ハンガーローラ
３  レール
４  乗場敷居
５  戸の脚
６  巻取装置
７  第１連動ロープ
８  第１巻取装置ギヤ
９  第２巻取装置ギヤ
１０  第２連動ロープ
１１  下部遮煙体
１２  保持具
１３  バネ
【図１】
0004694302.tif 000002
【図２】
0004694302.tif 000003